(57)【要約】【課題】電池の保持構造および設置操作の簡易化によって電子機器の給電および充電電池の充電を可能にし、電子機器の利便性を高める。また、電池の保持性および電子機器の携帯性の維持を図る。【解決手段】この電子機器（２、５０、１７０）は、筐体（前面筐体５、５２、背面筐体４、５４）と、蓋部（６、５６）と、開閉手段（８ａ、８ｂ、支持部６２、６４）と、給電手段（１２、６６）とを備える。蓋部は、筐体の背面側の一部または全部に開閉可能に設置されている。開閉手段は、蓋部を開閉させる。給電手段は、開閉手段に設置され、蓋部が開状態のときに筐体の背面側に電池（１０、１０Ａ、１０ｂ）を設置可能に露出して、設置された電池によって給電する。【選択図】  図１
2014072067.tif 000002
【特許請求の範囲】
【請求項１】
筐体と、
前記筐体の背面側の一部または全部に開閉可能に設置された蓋部と、
前記蓋部を開閉させる開閉手段と、
前記開閉手段に設置され、前記蓋部が開状態のときに前記筐体の背面側に電池を設置可能に露出して、設置された前記電池によって給電する給電手段と、
を備えることを特徴とする、電子機器。
【請求項２】
前記筐体は、前記蓋部が閉状態となるときに前記開閉手段を内部に収納させる開口部が形成され、
前記給電手段は、前記蓋部が閉状態となったときに、一部または全部が前記開閉手段とともに前記筐体内に収納される、
ことを特徴とする、請求項１に記載の電子機器。
【請求項３】
前記筐体は、前記給電手段に設置される前記電池の側面側の一部を接触させて支持する凹部が形成され、前記蓋部との間で前記電池を挟持する、
ことを特徴とする、請求項１または請求項２に記載の電子機器。
【請求項４】
更に、前記筐体には、前記給電手段に設置される前記電池の種類に応じて、前記電池の電極と前記給電手段とを接触可能にガイドするガイド手段を備え、
前記給電手段は、該ガイド手段を介して前記電池と導通状態にさせる、
ことを特徴とする、請求項１ないし請求項３のいずれかに記載の電子機器。
【請求項５】
前記ガイド手段は、一端を前記給電手段の一端に接触させるとともに、他端を前記乾電池の電極に接触させるガイド端子部を備える、
ことを特徴とする、請求項４に記載の電子機器。
【発明の詳細な説明】
【技術分野】
【０００１】
本発明は、電池を利用して給電または充電を行う電子機器に関する。
【背景技術】
【０００２】
多機能化した携帯電子機器では、消費電力量の増加やユーザの使用頻度の増大などにより、内蔵された充電電池の容量が不足する可能性がある。ユーザは、外出先などでも充電電池の充電作業や電池の取り替えを行う必要があるが、常に専用の充電器やＡＣアダプタなどを所持するのは困難である。
【０００３】
そこで電子機器では、たとえば充電電池の電力が無くなっても使用不能に陥るのを防止するため、他の電池を利用して電子機器に給電させるものがある。電子機器の充電または給電では、たとえば筐体内部に配置された充電電池の電池ソケットを利用するものや、電池を収納した電池パックを外部に接続して、他の電池から給電させるものがある。
【０００４】
このように他の電池を利用して給電する電子装置に関し、電池収納部に第１の電池と第２の電池とを入れ替える際に、第１の電極と第２の電極を備えたホルダを反転させるものや、弾性部材によって電池を圧接させるものが知られている（たとえば、特許文献１）。また、プレートと折り畳み可能な電池保持手段および電池接続手段が構成された電源装置に乾電池を設置し、携帯機器の電源コネクタに接続することや、二次電池を取り外して乾電池ホルダを二次電池収納部に配置させるものがある（たとえば特許文献２）。
【先行技術文献】
【特許文献】
【０００５】
【特許文献１】特開平６−３６７４９号公報
【特許文献２】特開２００７−４８５９３号公報
【発明の概要】
【発明が解決しようとする課題】
【０００６】
ところで、電子機器では、収納部内に設置される充電電池以外の電力供給手段として、たとえば入手が容易な乾電池などが利用される。この乾電池は、たとえば電子機器の充電電池が収納されている収納部に設置されて給電を行う。しかし乾電池は、たとえば充電電池に対し端子の位置や長さ、または給電電圧などが相違する場合がある。そのため電子機器では、たとえば専用の部品や回路を要するとともに、充電電池の取り外しを行うために筐体パネルの一部または全部の取り外しや専用部品の設置や取替えなど作業の煩雑化を招く。また、収納部を利用して乾電池が設置された電子機器では、充電電池が収納部から取り外されるため、充電電池に対する充電を行うことはできない。そのため電子機器は、充電装置による充電処理または予備の充電電池が用意できるまで乾電池による給電が必要になる。
【０００７】
また、携帯型の電子機器は、携帯性の向上などを図るため、機器全体が薄型化されており、内蔵される充電電池も薄型化や小型化されている。そのため薄型化した電子機器では、充電電池の厚さなどが市販の乾電池の径よりも小さくなっているものもあり、充電電池の収納部に乾電池を設置するのは困難となっている。これに対し電子機器では、たとえば筐体パネルを取り外した状態で乾電池を収納部に設置するものや、乾電池が保持されたケースをケーブルなどによって電子機器の通信コネクタや電池端子に接続するものがある。しかし電子機器は、収納部の蓋が外された状態を維持することになり、充電中の乾電池の保持機能が不十分であるほか、電子機器内部に対する防護機能の低下などの課題がある。
【０００８】
そのほか、電子機器の充電装置は、たとえば乾電池を収納した充電器を電子機器の外部にあるＵＳＢ（Universal Serial Bus）規格などの接続端子に接続して利用するものがあるが、既述のＡＣアダプタを常に携帯するのは困難である。また、この接続端子は、たとえば電子機器の筐体の長さ方向または幅方向いずれかの側面などに設置されるものがある。そのため充電装置が設置された電子機器では、たとえば充電中に使用される場合、ユーザによる保持状態が変わり、携帯性に影響を及ぼす。
【０００９】
そこで、本開示の電子機器の目的は、乾電池の保持構造および設置操作の簡易化によって電子機器の給電および充電電池の充電を可能にし、電子機器の利便性を高めることにある。
【００１０】
また本開示の電子機器の他の目的は、乾電池の保持性および電子機器の携帯性の維持を図ることにある。
【課題を解決するための手段】
【００１１】
上記目的を達成するため、本開示の構成の一側面は、筐体と、蓋部と、開閉手段と、給電手段とを備える。蓋部は、前記筐体の背面側の一部または全部に開閉可能に設置されている。開閉手段は、前記蓋部を開閉させる。給電手段は、前記開閉手段に設置され、前記蓋部が開状態のときに前記筐体の背面側に電池を設置可能に露出して、設置された前記電池によって給電する。
【発明の効果】
【００１２】
本開示の電子機器によれば、次のいずれかの効果が得られる。
【００１３】
(1)  筐体の外装側の一部を電池の保持手段に利用することで、電池を利用した給電手段の構造の簡易化を図ることができる。
【００１４】
(2) 筐体と蓋部によって電池を保持する構造により、筐体の厚さに関わらず電池の保持性を高められる。
【００１５】
(3)  充電電池を保持した電子機器に対して、蓋部の開閉および筐体に設置された部品構成を利用して電池を電子機器に設置できるので、電子機器の外部に新たな部品の追加などが不要であり、電子機器の携帯性を維持することができる。
【００１６】
そして、本発明の他の目的、特徴および利点は、添付図面および各実施の形態を参照することにより、一層明確になるであろう。
【図面の簡単な説明】
【００１７】
【図１】第１の実施の形態に係る電子機器の構成例を示す図である。
【図２】蓋部が閉状態となった電子機器の構成例を示す図である。
【図３】第２の実施の形態に係る電子機器の構成例を示す図である。
【図４】蓋部が開状態のときの給電手段の状態例を示す図である。
【図５】電池の収納状態例を示す図である。
【図６】電池収納時における開閉軸および支持軸の状態例を示す図である。
【図７】電子機器の構成例を示す分解図である。
【図８】開閉制御手段の一例を示す図である。
【図９】第３の実施の形態に係る電子機器の外観構成例を示す図である。
【図１０】蓋部を開状態にした電子機器の構成例を示す図である。
【図１１】電池を設置した状態例を示す図である。
【図１２】蓋部を開状態にした他の状態例を示す図である。
【図１３】電池が設置された状態を示す他の一例を示す図である。
【図１４】電子機器の構成例を示す分解図である。
【図１５】背面筐体の平面部の一例を示す図である。
【図１６】前面筐体の平面部の一例を示す図である。
【図１７】ガイド部品の外観構成例を示す図である。
【図１８】ガイド部品の構成例を示す図である。
【図１９】ガイド部品の構成例を示す図である。
【図２０】背面筐体に対するガイド部品の設置状態の一例を示す図である。
【図２１】ガイド部品を開状態にしたときの開口部内の構成例を示す図である。
【図２２】図９のＸＸＩＩ−ＸＸＩＩ線断面図である。
【図２３】図１１のＸＸＩＩＩ−ＸＸＩＩＩ線断面図である。
【図２４】図１３のＸＸＩＶ−ＸＸＩＶ線断面図である。
【図２５】図９のＸＸＶ−ＸＸＶ線断面図である。
【図２６】図１２のＸＸＶＩ−ＸＸＶＩ線断面図である。
【図２７】図９のＸＸＶＩＩ−ＸＸＶＩＩ線断面図である。
【図２８】図９のＸＸＶＩＩＩ−ＸＸＶＩＩＩ線断面図である。
【図２９】第４の実施の形態に係る電子機器の構成例を示す図である。
【図３０】蓋部が開状態の電子機器の外観構成例を示す図である。
【図３１】電子機器の構成例を示す分解図である。
【図３２】図２９のＡ−Ａ線断面図である。
【図３３】図３０のＢ−Ｂ線断面図である。
【図３４】他の実施の形態に係る電子機器の開閉手段の一例を示す図である。
【発明を実施するための形態】
【００１８】
〔第１の実施の形態〕
【００１９】
図１は、第１の実施の形態に係る電子機器の構成例を示している。図１に示す構成は一例であり、本発明が斯かる構成に限定されるものではない。
【００２０】
図１に示す電子機器２は、本開示の電子機器の一例であり、たとえば筐体の内部に、図示しない充電電池などの二次電池が設置されて電力の供給を受ける。この電子機器２は、たとえば携帯型のＰＣ（Personal Computer）などの情報処理装置、携帯端末装置または携帯電話機などの一例である。電子機器２は、たとえば背面筐体４と、その前面側に前面筐体５とが接合されるとともに、背面側の一部または全部に開閉可能に設置された蓋部６を備えている。また電子機器２は、たとえば蓋部６を開閉させる開閉手段８ａ、８ｂや、電池１０によって給電させる給電手段１２を備えている。
【００２１】
背面筐体４と前面筐体５は、内部に電子機器２を機能させるためのコンピュータ機能部品などを収納する本体部の一例であり、たとえば樹脂材料で構成されている。背面筐体４は、たとえば単一または複数の部材で構成されており、電子機器２の内部に実装される基板を覆うとともに充電電池などを背面側から支持している。また、背面筐体４には、たとえば蓋部６と同一面側に対し、蓋部６の開閉位置に基づいて背面筐体４の一部を覆う背面カバー７が設置されている。
【００２２】
前面筐体５は、たとえば内部に電子部品が実装された基板が設置されるとともに、電子機器２の前面側に向けて表示手段や操作キーなどが設置される。この前面筐体５と背面筐体４とは、たとえば接着、爪部品などによる係合、またはネジなどによる締結によって固定設置されている。
【００２３】
蓋部６は、たとえば背面カバー７とともに電子機器２の背面側の一部または全部に対し、背面筐体４を覆う外装カバーの一例である。この蓋部６は、たとえばポリカーボネート（Polycarbonate）などの樹脂材料で構成されている。蓋部６の側面内側には、たとえば背面筐体４の側面側に貫通させて蓋部６を開閉させる開閉軸１４が対向して形成されている。そして蓋部６は、たとえば開閉軸１４を回転軸にして背面筐体４側から一部を離間させることで、背面筐体４を外部に露出する開状態となり、また背面筐体４側に向けて近接させることで、背面筐体４を覆う閉状態となる。また、蓋部６には、たとえば背面筐体４に対して離間または近接される両端部に開閉手段８ａ、８ｂが設置されている。
【００２４】
開閉手段８ａ、８ｂは、開閉軸１４を回動中心に開閉された蓋部６の開閉角度、開閉状態を調整する手段の一例である。開閉手段８ａ、８ｂは、たとえば一端側が背面筐体４の両側面の一部を背面筐体４に形成された収納部１６内に、回動軸１７ａ、１７ｂにより回動可能に軸支され、他端側が蓋部６の内側に軸支されている。この収納部１６は、開閉手段８ａ、８ｂを収納する開口部の一例であり、たとえば背面筐体４の両側面の一部を背面筐体４の内側に切り欠き、蓋部６と背面筐体４との間に空間部が形成されている。そして、開閉手段８ａ、８ｂは、たとえば蓋部６が開操作されるのに伴って起き上がり、その起き上がり角度に応じて、背面筐体４に対する開閉角度が設定されるとともに、蓋部６を開状態に維持させる。また、図２に示すように開閉手段８ａ、８ｂは、たとえば蓋部６を背面筐体４側に押し付ける閉操作により、背面筐体４の収納部１６内に倒れることで、蓋部６を閉状態にさせる。
【００２５】
給電手段１２は、開状態の蓋部６と背面筐体４との間に設置した電池１０によって電子機器２に給電させ、または電池１０から給電された電力を内蔵した充電電池に充電させる給電手段の一例である。この給電手段１２は、たとえば開閉手段８ａ、８ｂに端子１８ａ、１８ｂを備えており、蓋部６が開状態のときに背面筐体４の背面側に電池１０を設置可能に露出する。端子１８ａ、１８ｂは、開閉手段８ａ、８ｂの対向面側に設置されており、一方が電池１０の正極側、他方が電池１０の負極側に接触させる。この端子１８ａ、１８ｂは、たとえば背面筐体４または前面筐体５の内部に設置された図示しない基板の給電部に接続されており、電池１０から基板側への電力供給を可能にする。
【００２６】
電子機器２への給電時、電池１０は、開状態となった蓋部６と背面筐体４との間で、対向する端子１８ａ、１８ｂに接触するように配置される。このとき電池１０は、たとえば給電手段１２の端子１８ａ、１８ｂによって両端側が支持されるとともに、側面部の一部が背面筐体４および蓋部６の内側に接触して支持されている。つまり電子機器２は、たとえば背面筐体４と開状態となった蓋部６および露出した端子１８ａ、１８ｂによって、電池１０と電気的に接続させるとともに、所定の位置に固定支持させる電池ソケット構造を備えている。
【００２７】
また図２に示すように閉状態となった蓋部６は、たとえば背面カバー７と平面状態となり、背面筐体４（図１）を覆う電子機器２の背面カバーの一部として機能する。蓋部６が閉状態となった電子機器２の厚さＬ１は、たとえば設置される電池１０の種類により、電池の厚さＬ２よりも薄くなる場合がある。つまりこの電子機器２では、たとえば背面筐体４の内部に収納できない厚さの電池１０を利用して、給電を行うことができる。また電子機器２は、内蔵された充電電池の設置部以外に給電手段１２を形成させることで、充電電池の取り外しなどをしなくても電池１０による給電を可能にしている。
【００２８】
斯かる構成によれば、筐体の外装側の一部を電池の保持手段に利用することで、別途充電装置や電池の支持装置を設置する必要が無く、電池を利用した給電構造の簡易化を図ることができる。 筐体と蓋部によって電池を保持する構造により、蓋部と筐体との開閉角度によって電池の設置高さを調整でき、電子機器の筐体の厚さに関わらず電池の保持性を高められる。また、充電電池を保持した電子機器に対して、蓋部の開閉および筐体に設置された部品構成を利用して電池を電子機器に設置できるので、電子機器の外部に新たな部品の追加などが不要であり、電子機器の携帯性を維持することができる。また、この電子機器は、外部に電池を設置して給電できるので、常にＡＣアダプタや予備の充電電池を所持する必要がなくなり、利便性を高めることができる。
【００２９】
〔第２の実施の形態〕
【００３０】
図３は、第２の実施の形態に係る電子機器の構成例を示している。図３に示す構成は一例である。
【００３１】
図３に示す電子機器２は、本開示の電子機器の一例であり、背面筐体４の背面側を開閉させる蓋部６や、この蓋部６を開閉させるとともに電池１０に接触する端子１８ａ、１８ｂが設置された開閉手段８ａ、８ｂを備えている。また背面筐体４には、たとえば背面側の一部に、電池１０を支持する支持凹部２０が形成されている。また、背面筐体４の左右の側面には、たとえば開閉手段８ａ、８ｂを支持する回動軸１７ａ、１７ｂをスライドさせるスライド孔２２が形成されている。
【００３２】
＜支持凹部２０の構成例について＞
【００３３】
この支持凹部２０は、開状態となった蓋部６との間で電池１０を支持する手段の一例であり、たとえば電池１０の胴体部の側面の一部に沿って接触するように曲面状に形成されている。支持凹部２０は、たとえば電子機器２に設置させる電池１０の種類などによって幅や曲面の曲率半径などを設定すればよい。支持凹部２０は、電池１０の設置位置として設定された位置に形成されており、たとえば図４Ａに示すように蓋部６が開状態となったときに電子機器２の外部に露出される。
【００３４】
支持凹部２０は、たとえば図４Ｂに示すように、背面筐体４上において電池１０の設置位置として設定される位置に形成されている。そして、開閉手段８ａ、８ｂは、たとえば蓋部６が開状態となったときに、給電手段１２の端子１８ａ、１８ｂが支持凹部２０の両側面側に配置されるように設置されている。
【００３５】
そして電池１０による給電処理において、電池１０は、たとえば支持凹部２０内に合わせて載置され、支持凹部２０内において、電池１０の端子が給電手段１２の各端子１８ａ、１８ｂに接触するように配置される。
【００３６】
＜給電手段１２内における電池１０の収納状態について＞
【００３７】
スライド孔２２は、図５に示すように、たとえば背面筐体４の両端側に形成され、開閉手段８ａ、８ｂを介して回動軸１７ａ、１７ｂを貫通させて支持している。スライド孔２２は、たとえば背面筐体４と蓋部６との開口側に向けて回動軸１７ａ、１７ｂを上下または前後移動可能な長さで形成されている。そして、回動軸１７ａ、１７ｂは、たとえば蓋部６に対する開閉操作により開閉手段８ａ、８ｂが起き上がり状態または背面筐体４側に向けて寝かせた状態となるのに伴い、スライド軸２２内を前後または上下にスライド移動する。
【００３８】
開閉手段８ａ、８ｂは、たとえばそれぞれ蓋部６に対して、支持軸２４によって回動可能に軸支されている。この支持軸２４は、たとえば蓋部６の内側の設定された位置に対して各開閉手段８ａ、８ｂを支持している。
【００３９】
そして、蓋部６が開状態となった背面筐体４側には、収納部１６から起き上がった開閉手段８ａ、８ｂにより支持凹部２０の両側面側に端子１８ａ、１８ｂが配置され、電池１０の両端子に接触する。このスライド孔２２は、たとえば蓋部６が開状態となったときに、開閉手段８ａ、８ｂの端子１８ａ、１８ｂが支持凹部２０の両端側に配置されるように端部が設定されればよい。
【００４０】
電子機器２に設置された電池１０は、たとえば支持凹部２０に対して胴体部分の一部が接触するとともに、その接触部分の反対側またはその付近が蓋部６の内側に接触する。つまり給電手段１２は、たとえば支持凹部２０と所定角度に開口された蓋部６の内側とが対向し、電池１０の長辺部分を挟みこんで支持している。このときスライド孔２２には、たとえば蓋部６が電池１０を支持凹部２０との間で挟持可能な角度で開口するように、回動軸１７ａ、１７ｂの位置が設定されている。
【００４１】
スライド孔２２内において、回動軸１７ａ、１７ｂは、たとえば蓋部６が開状態となるのに追従して、蓋部６と背面筐体４との開口側に移動する。また、スライド孔２２内に配置された回動軸１７ａ、１７ｂは、たとえば蓋部６が閉状態となるのに追従して、開口側から離間する方向、すなわち開閉軸１４ａ、１４ｂに近づく方向に移動する。
【００４２】
また、開閉軸１４ａ、１４ｂは、たとえば図６に示すようにスライド孔２６内に貫通されている。このスライド孔２６は、たとえば背面筐体４の両側面側に、蓋部６の開閉角度に応じて斜め方向にスライド可能に形成されている。このような構成により、蓋部６は、たとえば開閉軸１４ａ、１４ｂを回転中心として背面筐体４側に開閉される。蓋部６に対する閉操作に対して開閉手段８ａ、８ｂは、回動軸１７ａ１７ｂが開閉軸１４ａ、１４ｂ側にスライドすることで、収納部１６内の中央側に配置されて収納される。また、回動軸１７ａ、１７ｂを回動中心とした開閉手段８ａ、８ｂによる支持軸２４の軌跡Ｒ１は、たとえば閉操作に応じた回動軸１７ａ、１７ｂの移動により、開閉軸１４ａ、１４ｂを中心とした軌跡Ｒ２に近接していく。このように開閉手段８ａ、８ｂのスライドにより、蓋部６は、たとえば開閉操作において、背面筐体４や前面筐体５の前方に向けて突出せず、一定の軌跡で開閉させることができる。
【００４３】
＜電子機器２の構成について＞
【００４４】
図７は、電子機器の構成例を示している。図７に示す構成は一例である。
【００４５】
図７に示す電子機器２は、たとえば前面筐体５と背面筐体４とが固定ネジ２８によって接合され、前面筐体５に設置された基板３２が収納されるように形成されている。固定ネジ２８は、前面筐体５と背面筐体４とを固定接合させる手段の一例である。固定ネジ２８は、たとえば電子機器２の前面側から前面筐体５の平面部分の周縁側を貫通させ、背面筐体４に形成された固定孔３０に締結している。
【００４６】
また、前面筐体５には、たとえば背面筐体４との接合面側の内部に基板３２が設置されている。この基板３２は、たとえば図示しない電子機器２を動作させるプロセッサやメモリ、通信機能部品のほか、充電電池３４と接続する端子３６、および既述の給電手段１２と接続する給電端子３８が実装されている。
【００４７】
背面筐体４は、たとえば背面側に蓋部６および背面カバー７が設置され、電子機器２の背面側を覆う。この背面カバー７は、たとえば背面筐体４の一部に形成され、充電電池３４を貫通させて支持する貫通孔４０を覆い、設置された充電電池３４を防護するほか、背面側の一部に接触して支持してもよい。また背面筐体４に形成された収納部１６には、たとえばスライド孔２２に対し、開閉手段８ａ、８ｂを介して回動軸１７ａ、１７ｂを貫通させて、蓋部６が開閉可能に支持されている。これにより、給電手段１２は、蓋部６の開操作に伴って開閉手段８ａ、８ｂが起き上がることで、端子１８ａ、１８ｂが電子機器２の外部側に露出し、電池１０（図５）が設置可能な状態となる。
【００４８】
基板３２に実装される給電端子３８は、たとえば図示しないケーブル状のフレキシブル基板（ＦＰＣ:Flexible Printed Circuit）やリード線を介して給電手段１２を構成する端子１８ａ、１８ｂに接続されている。
【００４９】
この蓋部６、開閉手段８ａ、８ｂ、端子１８ａ、１８ｂなどで構成される給電手段１２は、たとえば電子機器２内部の充電電池３４の配置位置に関わらず背面筐体４の平面上のいずれにも設置することができる。
【００５０】
なお、固定手段は固定ネジ２８に限られず、たとえば前面筐体５と背面筐体４の周囲に爪部品を形成して、係止させてもよい。そのほか、ラッチ部品などによる圧入固定であってもよい。また、前面筐体５の前面側には、たとえば平面部の周縁側に設置された固定ネジ２８の挿入部分や、図示しない表示手段などの設置境界部分に対し、前面カバーが設置されてもよい。
【００５１】
そのほか、給電端子３８は、たとえば接続したフレキシブル基板などに監視手段を設置して、蓋部６の開閉操作や開閉手段８ａ、８ｂの状態を監視し、その開閉状態に応じて電子機器２のコンピュータを充電モードに切替える機能を備えてもよい。
【００５２】
＜蓋部６の開閉手段の変形例について＞
【００５３】
図８は、蓋部６の開閉手段の変形例を示している。図８に示す構成は一例である。
【００５４】
図８に示す電子機器２は、たとえば異なる種類の電池１０に応じて蓋部６の開閉状態を変化させる給電手段１２を備える。給電手段１２に設置される電池１０は、たとえば円筒形状であり、ＪＩＳ（Japanese Industrial Standards：日本工業規格）などの規格により、直径や長さ、電圧などが設定されている。そこで、この電子機器２では、たとえば、直径の異なる電池に対して対向可能な給電手段１２の一例を示している。
【００５５】
この給電手段１２では、たとえば蓋部６の開閉操作に対して開閉手段８ａ、８ｂをスライド孔２２内にスライドさせて、支持凹部２０内に載置された電池１０の側面側に端子１８ａ、１８ｂを配置している。そしてこのスライド孔２２には、たとえば異なる種類の電池１０Ａ、１０Ｂが設置される場合に対応した係止溝４２、４４が形成されている。係止溝４２は、たとえば図８Ａに示すように、スライド孔２２の先端側に形成されており、直径の大きな電池１０Ａが設置される場合に利用される。
【００５６】
蓋部６が開閉軸１４ａ、１４ｂを中心に開操作されると、回動軸１７ａ、１７ｂは、たとえば支持軸２４との距離が一定であることから、その開操作に応じてスライド孔２２内を前方に向けて移動する。そして、回動軸１７ａ、１７ｂが係止溝４２内に係止されると、蓋部６は、たとえば支持軸２４と回動軸１７ａ、１７ｂとの距離が一定であることから、設定された角度θＡで固定される。この係止溝４２は、たとえば支持凹部２０内に配置された電池１０Ａの側面端子側に対して、開閉手段８ａ、８ｂが配置されるように形成されている。このとき、開閉手段８ａ、８ｂは、たとえば係止溝４２から電池１０Ａに向けて所定の角度θ１で起き上がる状態となっている。
【００５７】
また、係止溝４４は、たとえば図８Ｂに示すように、スライド孔２２の中央側に形成されており、電池１０Ａに対して直径の小さな電池１０Ｂが設置される場合に利用される。既述のように、蓋部６の開操作に対し、回動軸１７ａ、１７ｂが係止溝４４内に係止されると、蓋部６は、たとえば設定された角度θＢで固定される。この係止溝４４は、たとえば支持凹部２０内に配置された電池１０Ｂの側面端子側に対して、開閉手段８ａ、８ｂが配置されるように形成されている。このとき、開閉手段８ａ、８ｂは、たとえば係止溝４４から電池１０Ｂに向けて所定の角度θ２で起き上がる状態となっている。
【００５８】
蓋部６の開閉角度θＡ、θＢ、および開閉手段８ａ、８ｂの起き上がり角度θ１、θ２は、設置される電池１０Ａの直径ＬＡと電池１０Ｂの直径ＬＢに応じて設定されている。つまり、電池１０Ａの直径ＬＡ＞電池１０Ｂの直径ＬＢである場合、たとえば、θＡ＞θＢ、θ１＞θ２の関係にある。
【００５９】
このように、給電手段１２は、たとえば設置される電池１０Ａ、１０Ｂに応じて蓋部６の開閉角度を設定する構造を備えてもよい。
【００６０】
斯かる構成によれば、筐体の外装側の一部を電池の保持手段に利用することで、電池を利用した給電手段の構造の簡易化を図ることができる。筐体と蓋部によって電池を保持する構造により、筐体の厚さに関わらず電池の保持性を高められる。さらに、筐体と電池との接触部分を曲面状に形成して、電池の側面の一部を覆って支持させることで、背面筐体上を電池が移動するのを防止できる。そして、端子から電池がずれて給電が中断するのを防止できる。また電池の設置処理において、支持凹部の位置を基準に電池を設置させることで、確実に端子に接触させることができる。
【００６１】
〔第３の実施の形態〕
【００６２】
図９、図１０、図１１、図１２および図１３は、第３の実施の形態に係る電子機器の構成例を示している。図９ないし図１３に示す構成は一例であり、本発明が斯かる構成に限定されるものではない。
【００６３】
図９に示す電子機器５０は、本開示の電子機器の一例であり、たとえば前面筐体５２、背面筐体５４が接合されて形成されている。この背面筐体５４には、たとえば電子機器５０の背面部側の一部に開閉可能な蓋部５６、およびこの蓋部５６に隣接して溝部５８が形成されている。
【００６４】
図１０に示す蓋部５６は、たとえば背面筐体５４の一部に形成された開口部６０に対して開閉することで、この開口部６０を電子機器５０の外部に露出させ、または閉塞させる。蓋部５６には、たとえば両端側に支持部６２、６４が形成されている。この支持部６２、６４は、蓋部の開閉手段の一例であり、開口部６０の内側の左右端部に対して回動可能に軸支され、蓋部５６を開口部６０に対して開閉可能に設置している。この開口部６０には、たとえば電池１０から電子機器５０に電力供給を受ける給電手段６６を備えている。
【００６５】
＜開口部６０の内部構成の一例について＞
【００６６】
開口部６０は、蓋部５６が開状態となったときに外部から電池１０を設置させ、開口部６０の単独、または蓋部５６との組み合わせにより、電池１０を支持する手段の一例である。開口部６０には、たとえば背面筐体５４の内部に電池１０を載置させて支持する支持凹部６８が形成されている。また、蓋部５６には、たとえば背面筐体５４との対向面側に、開口部６０内に配置された電池１０の胴体部の一部に接触させて支持する支持面部７０が形成されている。この支持面部７０には、たとえば一定の間隔で電池１０に接触させる複数の支持凸部７２が形成されている。
【００６７】
支持部６２、６４は、開口部６０内に設置された電池１０の両端子に接触させる端子７４、７６を備えている。この端子７４、７６は、たとえば給電手段の一例であり、金属などの導電性材料で構成されている。端子７４、７６は、たとえば開口部６０側に向けて突起形状で形成され、電池１０の側面側に対する接触性を向上させて両端側から挟持させている。
【００６８】
図１１に示すように、開口部６０に設置された電池１０は、たとえば胴体部の一部を支持凹部６８に載置され、電池１０の胴体部の他の一部が一定の角度で開口された蓋部５６の支持面部７０および支持凸部７２に載置される。これにより給電手段６６は、たとえば電池１０の胴体部の一部または全部に対して、支持凹部６８と支持面部７０との間で対向して、または一定の角度で挟んで支持している。また、電池１０は、たとえば両側面側が端子７４、７６を介して支持部６２、６４で挟持されている。このような構成により、開口部６０および蓋部５６は、電池１０を支持するとともに、電池１０からの給電機能を持つ、給電手段６６の電池ソケットとして機能する。
【００６９】
溝部５８は、たとえば蓋部５６の開閉操作時に利用者の指や爪を蓋部５６の一部に接触させて蓋部５６に開方向の力を伝達させる手段の一例であり、蓋部５６が開操作により背面筐体５４から離間する部分に形成される。つまり、溝部５８は、たとえば蓋部５６が電子機器５０の長辺方向に沿って下方向または後ろ方向に回動する場合、開口部６０の前方部分、または上方部分に形成される。
【００７０】
＜開口部６０の内部構成の他の一例について＞
【００７１】
図１２に示す開口部６０の内部には、たとえば蓋部５６と同方向に回動して開閉可能に設置されたガイド部品８０が設置されている。ガイド部品８０は、給電手段６６内に設置される電池１０の種類に応じて、電池１０の電極と給電手段６６の端子７４、７６とを接触可能にガイドするアタッチメントの一例である。ガイド部品８０は、たとえば開口部６０内に設置される電池１０を支持面部７０や支持凸部７２、および端子７４、７６側に接触させるようにガイドする。
【００７２】
ガイド部品８０は、たとえば背面筐体５４内に回動軸によって回動可能に設置され、一定の角度で開状態となる蓋部５６に向けて開閉し、開口部６０から露出した給電手段６６に対して配置される。このガイド部品８０は、たとえば利用者の回動操作によって回動し、支持凹部６８上に積層されて開状態となる。これにより、ガイド部品８０は、たとえば直径、および胴体部の長辺方向の長さなどが異なる電池１０Ｂ（図１３）の支持を可能にする。そして、給電手段６６は、このガイド部品８０を介して電池と導通させることができる。
【００７３】
ガイド部品８０は、たとえば開状態において開口部６０側に露出され、電池１０Ｂを載置させる複数の支持凸部８２が形成されている。この支持凸部８２は、給電手段６６に設置された電池１０Ｂの側面部を支持するリブの一例であり、ガイド部品８０が閉状態となるときには、支持凹部６８の一部に形成された収納孔８４内に収納される。またガイド部品８０は、たとえば長辺方向の一端側に端子７４に接触させるガイド端子８６を備えている。このガイド端子８６は、設置された電池１０Ｂに接触させて、支持するとともに導通させる手段の一例であり、たとえばガイド端子８６の一端側を給電手段６６の一端に接触させるとともに、他端側を電池１０Ｂの電極に接触させる。
【００７４】
図１３に示すように、開口部６０に設置された電池１０Ｂは、たとえばガイド部品８０に胴体部の一部が接触することで、胴体部の他の一部が蓋部５６の支持面部７０側に接触する。また、電池１０Ｂの一端側の端子８８がガイド端子８６に接触することで、対向側の端子７６との間で挟み込んで支持される。
【００７５】
なお、ガイド部品８０は、電池１０、１０Ｂの設置前に利用者による回動操作によって開閉するものに限られず、たとえば設置される電池１０、１０Ｂと支持凹部６８との接触状態によって回動させてもよい。また、ガイド端子８６は、たとえばガイド部品８０の一端にのみ形成されるものに限られず、設置が想定される電池に応じて両端側に形成されてもよい。
【００７６】
＜電子機器５０の構成例について＞
【００７７】
図１４は、電子機器の構成例を示す分解図である。図１４に示す構成は一例である。また図１４において、図７と同等な構成については同一符号を付し、説明を省略する。
【００７８】
図１４に示す前面筐体５２は、たとえば背面筐体５４との対向面側の中央部分に形成された基板設置部９０内に基板３２が固定設置されている。基板３２の固定には、たとえば図示しない爪係止部や固定ネジなどを利用してもよい。また前面筐体５２には、基板設置部９０の周囲であって、背面筐体５４の開口部６０との対向部分に、蓋部５６の支持部６２、６４やガイド部品８０の一部を収納させる収納孔９２、９４が開口している。そのほか基板設置部９０の周囲には、一定の間隔で固定ネジ２８を挿通させる挿通孔９６が形成されている。
【００７９】
基板３２には、たとえば開口部６０との対向部分の周辺に端子７４、７６と接続して、給電手段６６に設置された電池１０から電力の供給を受ける給電端子３８を備えている。
【００８０】
背面筐体５４には、たとえば開口部６０内にガイド部品８０が設置され、この開口部６０の左右両端に合わせて支持部６２、６４を挿入させて蓋部５６が設置される。開口部６０内には、たとえば支持凹部６８の一部に、閉状態となったガイド部品８０を収納させる収納溝９７が形成されている。
【００８１】
＜蓋部５６の構成について＞
【００８２】
蓋部５６は、たとえば開口部６０の幅に合わせて平板状に形成されている。両端側に形成された支持部６２、６４の先端には、背面筐体５４の開口部６０内において軸支させる支持軸９８、９９が形成されている。
【００８３】
＜背面筐体５４の構成例について＞
【００８４】
図１５に示す背面筐体５４において前面筐体５２に対する対向側の平面部１００には、たとえば周縁側に複数の締結部１０２が形成されており、既述のように前面筐体５２から挿通した固定ネジ２８が締結される。この締結部１０２には、たとえばインサート成型によって雌ネジ部品が設置されている。平面部１００には、たとえば開口部６０の形成位置の裏面側に支持部６２、６４やガイド端子８６を貫通させる貫通孔１０４、１０６が形成されている。また、平面部１００には、たとえば溝部５８から貫通され、蓋部５６の一部に形成された爪部１０８を係止させる係止孔１１０や、閉状態のガイド部品８０の支持凸部８２を収納させる収納孔８４が形成されている。
【００８５】
貫通孔１０４には、たとえば挿入された支持部６２の支持軸９８の上部側に接触させて支持軸９８を回動可能に支持する回動支持部１１２が形成されている。貫通孔１０６には、たとえば挿入された支持部６４の支持軸９９の上部側に接触させて支持軸９９を回動可能に支持する回動支持部１１４が形成されている。この貫通孔１０６の先端側の一部において、たとえば支持部６４および端子７６を貫通させる開口部１０７の幅Ｌ３は、たとえば支持部６４および端子７６を合わせた幅Ｌ４よりも狭小に形成されている。この支持部６４は、たとえば先端側の一部において、端子７６が配置されない側の一端を開口部１０７の開口位置に合わせて配置されており、支持部６４の一部が平面部１００に対して接触しないで開口部１０７内に挿通可能となっている。これにより端子７６は、たとえば蓋部５６の開閉操作により支持部６４が貫通孔１０６を通過する場合、開口部１０７の一部に先端側の凸部が接触する。このとき端子７６は、たとえば開口部１０７の側面部分や平面部１００、または開口部６０に対する接触により変形することで、開口部１０７を通過することができる。
【００８６】
このように蓋部５６の開閉に対して端子７６の一部を接触させることで、蓋部５６は、たとえば電子機器５０の傾きや衝撃により、意図せず開口部６０に対して開閉するのを防止することができる。
【００８７】
また、平面部１００には、たとえば背面側に設置されるガイド部品８０の一部を貫通させ、回動可能に支持する回動支持部１１６、１１８が形成されている。
【００８８】
そのほか平面部１００には、たとえば前面筐体５２に設置された基板３２に設置された充電電池３４の天井部分またはその周囲を支持する支持壁部１１９が形成されている。この支持壁部１１９は、たとえば充電電池３４の外形に合わせて形成されている。そして、支持壁部１１９は、たとえば充電電池３４の一部に常に接触させてもよく、または、電子機器５０に対する衝撃などによって充電電池３４が設置位置からずれた時に接触させるように形成すればよい。
【００８９】
＜前面筐体５２の構成例について＞
【００９０】
図１６に示す前面筐体５２の平面部１２０の収納孔９２は、たとえば背面筐体５４の貫通孔１０４に対向して形成され、支持部６２の一部やガイド端子８６の突出部分の一部が収納される開口部１２２や、支持部６２の一端を回動可能に支持する回動支持部１２４、ガイド部品８０の一端を回動可能に支持する回動支持部１２６が形成される。この回動支持部１２４は、たとえば支持部６２の一端の下部側に接触させ、この支持部６２を背面筐体５４の回動支持部１１２との間に挟持させる。また回動支持部１２６は、たとえばガイド部品８０の支持部材１４２（図１７）の下部側に接触させ、このガイド部品８０を背面筐体５４の回動支持部１１６との間に挟持させる。
【００９１】
収納孔９４には、たとえば背面筐体５４の貫通孔１０６に対向して形成され、支持部６４の一部が収納される開口部１２８や、支持部６４の一端を回動可能に支持する支持孔１３０、ガイド部品８０の一端を回動可能に支持する支持孔１３２が形成される。支持孔１３０、１３２は、たとえば支持孔１２４、１２６と同様に、背面筐体５４の平面部１００との間に支持部６４やガイド部品８０の一部を回動可能に挟持させる。
【００９２】
＜ガイド部品８０の構成例について＞
【００９３】
次に図１７、図１８、図１９は、ガイド部品の構成例を示している。図１７ないし図１９に示す構成は一例である。
【００９４】
図１７に示すガイド部品８０は、たとえば開口部６０内の支持凹部６８上に電池１０、１０Ｂの設置位置に沿って設置される板状部材１４０を備えている。板状部材１４０は、たとえば電池１０や給電手段６６の端子７４、７６と導通させない非導電性の部材として、樹脂部材などで構成されている。この板状部材１４０の一面には、既述のようにガイド部品８０が開口部６０内で開状態となったときに露出し、設置された電池１０Ｂを支持する支持凸部８２が一定の間隔で複数個設置されている。この支持凸部８２は、たとえば板状部材と一体に成型してもよく、または別部材を接着などにより設置してもよい。また板状部材１４０には、たとえば両端側にガイド部品８０を背面筐体５４側に回動可能に支持させる支持部材１４２、１４４が形成されている。この支持部材１４２、１４４は、図１５に示すように、回動支持部１１６、１１８に回動可能に設置され、ガイド部品８０を開閉させる回動軸の一例である。
【００９５】
またガイド部品８０の一端には、たとえば板状部材１４０を介して支持部材１４２の対向側にガイド端子８６が設置されている。このガイド端子８６は、たとえば支持凸部８２と同方向に凸形状に形成した筐体部１４６と、筐体部１４６の側面側において、ガイド部品８０の外部側に向けて突出させた形状の端子部１４８を備えている。この端子部１４８は、たとえば支持部６２に設置された端子７４に接触して導通させる。筐体部１４６は、たとえば板状部材１４０と一体に形成されている。端子部１４８は、たとえば金属などの導電性部材で形成されている。
【００９６】
ガイド端子８６は、たとえば図１８に示すように筐体部１４６の周囲に沿って、端子部１４８の反対側に電池１０Ｂの端子と接触させて受電する端子部１５０が設置されている。この端子部１４８、１５０は、たとえば単一の部材で形成してもよく、または別部材で構成し、筐体部１４６内で接触させてもよい。
【００９７】
図１９Ａに示す板状部材１４０およびガイド端子８６の背面部分は、たとえばガイド部品８０が閉状態となり収納溝９７に収納されたときに、開口部６０の支持凹部６８の一部を構成し、一部または全部に電池１０が載置される。板状部材１４０の背面部分は、たとえば平面形状、または一定の円弧状に形成されている。また図１９Ｂに示すようにガイド端子８６の背面部分は、たとえば全体を円弧状に形成するとともに、筐体部１４６の先端側の一部をガイド部品８０の背面方向に張り出させた張出し部１５２が形成されている。この張出し部１５２は、たとえば図１２に示すように、蓋部５６の支持面部７０側に接触させて、ガイド部品８０を所定の角度で開状態にさせて支持する手段の一例である。
【００９８】
＜背面筐体に対するガイド部品８０の配置状態について＞
【００９９】
図２０に示す背面筐体５４には、たとえば支持部材１４２の上部側の一部が回動支持部１１６内に収納されて、ガイド部品８０の設置位置が設定されている。これによりガイド端子８０は、端子１４８、１５０が貫通孔１０４に合わせて配置されるので、ガイド部品８０が閉状態となったときに、貫通孔１０４を通じて電子機器５０の内部に収納される。
【０１００】
なお、ガイド端子８６の端子１４８は、たとえば貫通孔１０４内において、図示しない支持部６２の端子７４に突出部分を接触させることで、蓋部５６が利用者の操作によらず、自然に開閉されるのを防止する構造としてもよい。
【０１０１】
＜ガイド部品の設置状態について＞
【０１０２】
ガイド部品８０は、たとえば図２１に示すように、開状態となると、支持凸部８２が電池１０Ｂの胴体部分の一部を支持するとともに、ガイド端子８６の端子１５０が電池１０Ｂの側面側の一方の端子に接触する。またガイド端子８６の端子１４８は、支持部６２の端子７４に接触する。ガイド端子８６は、既述のように端子１４８と端子１５０とが一体、または接触して導通していることから、端子１５０を介して支持部６２側の端子７４と導通状態となる。これにより電子機器５０は、ガイド端子８６を介して給電手段６６に電池１０Ｂから給電される。
【０１０３】
ガイド端子８６の筐体部１４６の幅は、たとえば設置される電池１０Ｂの長さと、支持部６２、６４の幅の差に基づいて設定されればよい。
【０１０４】
＜電子機器の内部構成について＞
【０１０５】
図２２ないし図２８は、電子機器の内部構成例を示している。図２２〜図２８に示す構成は一例である。
【０１０６】
図２２に示す電子機器５０は、たとえば蓋部５６が開口部６０に対して閉状態となっている。このとき、蓋部５６は、たとえば開口部６０内に収納され、電子機器５０の背面側において、蓋部５６の背面部分が背面筐体５４に対して面一状態となっている。このとき開口部６０内では、たとえば蓋部５６に形成された支持凸部７２が開口部６０内の収納溝９７内に収納されたガイド部材８０の一部に接触し、または挿入されている。また、蓋部５６に形成された爪部１０８が係止孔１１０内に挿入され、その端部側に係止されることで、電子機器５０の利用者の意図によらず、開状態となるのが防止できる。
【０１０７】
前面筐体５２には、たとえば前面側に表示手段の一例としてＬＣＤ（Liquid Crystal Display）表示器１５８や、操作手段の一例として図示しない操作ボタンなどが設置されている。
【０１０８】
蓋部５６が支持軸９９を介して回動されて開口された電子機器５０には、図２３に示すようにたとえば開口部６０内に電池１０が設置される。電池１０は、たとえば蓋部５６の支持面部７０や支持凸部７２に接触して支持されるとともに、対向側を開口部６０の支持凹部６８やガイド部品８０の張出し部１５２や板状部材１４０に接触して支持される。この開口部６０では、既述のように蓋部５６の支持部６４に設置された端子７６が電池１０の側面側に配置され、電池の端子に接触する。また図示しない対向側の支持部６２は、同様に端子７４が電池１０の端子に接触する。
【０１０９】
これにより蓋部５６および開口部６０および端子７４、７６は、電池１０を保持するホルダとしての機能や、電池１０の端子と導通して電力の給電を受けるソケットとしての機能を備えることで、電子機器５０の給電手段６６となる。
【０１１０】
この電池１０は、たとえばガイド部品８０による長さ方向のガイドが不要な種類である。したがって、ガイド部品８０は、蓋部５６が開操作された場合でも、収納溝９７内に収納されている。
【０１１１】
これに対し、図２４に示す電子装置５０には、たとえば電池１０よりも直径が小さく、かつ長さが短い電池１０Ｂが設置されている。この場合、ガイド部品８０は、蓋部５６の開操作ののち、または開操作とともに開口部６０側に開状態にされる。そして、開口部６０内に設置される電池１０Ｂは、たとえば蓋部５６の支持面部７０や支持凸部７２に接触して支持されるとともに、対向側を開口部６０の支持凹部６８やガイド部品８０の支持凸部８２に接触して支持される。
【０１１２】
なお、図２４に示す蓋部５６は、電池１０Ｂの直径に合わせて開度が小さくなっているが、これに限られず、たとえば設定された一定の開度で開状態にしてもよい。この場合、電池１０Ｂは、たとえば側面側および底面側が蓋部５６の支持面部７０や支持凸部７２およびガイド部品８０の支持凸部８２上に載置される。また電池１０Ｂの両側面側に端子７６および図示しないガイド端子８６で挟持させる。これにより電池１０Ｂは、電子機器５０の背面筐体５４に固定支持される。
【０１１３】
蓋部５６が閉状態となったときのガイド部品８０は、たとえば図２５に示すように、支持部材１４２を回動軸として開口部６０内で閉状態となり、ガイド端子８６が背面筐体５４内の貫通孔１０４を通じ、前面筐体５２の収納孔９２内に収納される。既述のように前面筐体５２には、たとえばガイド端子８６を収納する収納孔９２が基板３２の周縁側に離れて形成することで、端子部１４８が基板３２上の回路に接触してショートするのを防止できる。
【０１１４】
給電手段６６を構成する支持部６２の端子７４は、たとえば図２６に示すように、一部にフレキシブル基板１６０の一端側を接続させるとともに、他端側を基板３２上の給電端子３８に接触させている。これにより、端子７４は、蓋部５６が開状態となり、開口部６０側に設置された電池１０の端子と基板３２の給電端子３８とを導通可能に接続させる。フレキシブル基板１６０は、たとえば背面筐体５４に形成された貫通孔１０４を通じて前面筐体５２側に挿通されている。また、図示しない対向側の支持部６４では、同様に端子７６と基板３２とをフレキシブル基板１６０で連結させる。
【０１１５】
蓋部５６が閉状態になると、フレキシブル基板１６０は、図２７に示すように支持部６２の端子７４とともに収納孔９２内に収納される。このフレキシブル基板１６０は、たとえば収納孔９２内に収納されたときに撓まない長さに設定されればよい。これにより蓋部５６の閉状態において、フレキシブル基板１６０は、基板３２上の回路に接触してショートするのを防止することができる。
【０１１６】
なお、前面筐体５２または背面筐体５４の内部には、たとえば蓋部５６が閉状態となるときに、フレキシブル基板１６０を収納部９２内において巻取り、または折り畳む構造を備えてもよい。そのほか、収納部９２内にフレキシブル基板１６０を沿わせて撓ませないガイド手段を形成してもよい。
【０１１７】
ガイド端子８６は、たとえば図２８に示すように、蓋部５６が閉状態の場合、収納孔９２内部において、端子部１４８の突出部分の先端側を支持部６２に設置された端子７４に接触させるとともに、端子部１５０を前面筐体５２の一部に接触させている。ガイド端子８６は、たとえば端子部１４８が支持部６２との接触により微小に押圧状態となるとともに、筐体部１４６および端子部１５０を介して前面筐体５２と密着することで、外部からの衝撃や電子機器５０の傾きなどによって開閉されるのを防止できる。
【０１１８】
また、支持部６４は、たとえば貫通孔１０６を通じて収納孔９４側に収納させ、または離脱させる場合、端子７６の突出部分が収納口９４の開口幅に対して狭小な貫通孔１０６に接触する。そして、支持部６４は、開閉操作による所定の引張りまたは押圧力を受けることで、端子７６が変形して貫通孔１０６を通過する。蓋部５６は、開閉操作時に一定の抵抗を受けることになる。これにより、電子機器５０は、外部からの衝撃や傾きなどにより蓋部５６が意図せず開閉し、開口部６０が露出状態となるのを防止するほか、電池１０からの給電処理中に蓋部５６が強制的に閉状態となるのを防止できる。
【０１１９】
なお、ガイド端子８６と蓋部５６との接触状態は一例であり、密着させるものに限られない。たとえば、ガイド部品８０の端子１４８を支持部６２の端子７４から離間させてもよい。これにより、ガイド部品８０は、蓋部５６の開閉操作に伴って開閉させない構造としてもよい。
【０１２０】
斯かる構成によれば、筐体の外装側の一部を乾電池の保持手段に利用することで、電池を利用した給電装置の構造の簡易化を図ることができる。筐体と蓋部によって電池を保持する構造により、筐体の厚さに関わらず電池の保持性を高められる。充電電池を保持した電子機器に対して、蓋部の開閉および筐体に設置された部品構成を利用して電池を電子機器に設置できるので、電子機器の外部に新たな部品の追加などが不要であり、電子機器の携帯性を維持することができる。また、電池が電子機器の裏面側に対して一体に支持されることから、ユーザによる電子機器の保持状態に大きな影響を与えず、携帯性を維持することができる。さらに、電子機器に内蔵された充電電池用の端子以外の端子を利用して外部の電池から給電や充電を行うことができる。これにより電子機器は、電池から供給された電力によって動作するほか、充電電池を充電させることもできる。
【０１２１】
〔第４の実施の形態〕
【０１２２】
図２９、図３０は、第４の実施の形態に係る電子機器の構成例を示している。図２９、図３０に示す構成は一例であり、本発明が斯かる構成に限定されるものではない。また、図２９、図３０において、図９、図１０と同等の構成については同一符号を付し、その説明を省略する。
【０１２３】
図２９に示す電子機器１７０は、本開示の電子機器の一例である。この電子機器１７０は、たとえば内部に充電電池や基板などを備える前面筐体５２、および背面筐体５４で構成されている。背面筐体５４には、たとえば背面側の一部に開口部６０（図１４）が形成され、この開口部６０を覆うように蓋部５６が設置されている。また、この電子機器１７０は、たとえば蓋部５６を開状態にし、開口部６０に対して電池１０を設置することで、この電池１０により電子機器１７０に給電し、または充電電池を充電する給電手段を備えている。
【０１２４】
背面筐体５４には、たとえば蓋部５６の設置位置の周囲に、上下、または前後方向に溝部５８、１７２が形成されている。この溝部５８、１７２は、蓋部５６の開閉操作時に利用者の指や図示しない工具などを蓋部５６の内側に挿入させる手段の一例である。
【０１２５】
この電子機器１７０の蓋部５６は、たとえば図３０に示すように、背面筐体５４の背面に対して略平行に離間され、電子機器１７０の上方または前方方向に向けて、電池１０を挿入させる開口部１７４が形成される。蓋部５６の両端側には、蓋部５６を支持するとともに、電子機器１７０に対して蓋部５６を開閉させる開閉手段として支持部１７６、１７８を備えている。この支持部１７６、１７８は、たとえば蓋部５６と一体に形成してもよい。
【０１２６】
つまり、この蓋部５６は、たとえば背面筐体５４に対して平行にスライドする、所謂引出し構造で設置されている。そして、開状態となった蓋部５６および支持部１７６、１７８は、開口部１７６から挿入される電池１０を背面筐体５４の開口部１７４に向けて支持して給電または充電する給電手段として機能する。
【０１２７】
＜蓋部５６および支持部１７６、１７８の構成およびその収納構成について＞
【０１２８】
図３１は、電子機器の構成例を示す分解図である。図３１に示す構成は一例である。
【０１２９】
支持部１７６、１７８には、たとえば図３１に示すように、蓋部５６の開口部１７４側に対向してそれぞれ給電手段の端子７４、７６が設置されている。この端子７４、７６は、たとえば図示しないフレキシブル基板などで前面筐体５２に設置された基板３２の給電端子３８に接続される。また、蓋部５６には、たとえば開口部１７４側に向けて単数または複数のホルダ部１８０が設置されている。ホルダ部１８０は、たとえば蓋部５６と同一部材で一体に成形してもよく、または別部材を設置してもよい。
【０１３０】
このホルダ部１８０は、たとえば蓋部５６の内面側から開口部１７４内に向けて立壁して構成されている。ホルダ部１８０は、たとえば電池１０の設置を阻害しないように開口部１７４の入り口側を低い高さで形成されるとともに、開口部１７４の内部側を高く形成している。このホルダ部１８０は、たとえば開口部１７４側から挿入された電池１０が、背面筐体５４の背面に沿って、開口部１７４に対向した開口部分から落下または離脱させないように支持する高さに形成されている。
【０１３１】
支持部１７６、１７８は、たとえば既述のように背面筐体５４の開口部６０に形成された貫通孔１０４、１０６内に挿通される。前面筐体５２には、たとえば背面筐体５４との対向面側において、基板３２の周縁側に収納孔１８２、１８４が形成されており、貫通孔１０４、１０６を挿通した支持部１７６、１７８の先端部分が収納される。この収納孔１８２、１８４および貫通孔１０４、１０６は、たとえば支持部１７６、１７８を収納するほか、蓋部５６のスライド方向をガイドする手段として機能する。
【０１３２】
その他、支持部１７６、１７８および収納孔１８２、１８４には、たとえば蓋部５６が背面筐体５４から分離するのを防止するために、そのスライド量、またはスライド位置を限定する図示しない支持手段などを備えてもよい。
【０１３３】
そのほか、背面筐体５４の開口部６０内には、既述のように、電池１０の胴体部の一部を支持する支持凹部６８が形成されるほか、設置される電池に対応するガイド部品８０などを備えてもよい。また、開口部６０には、たとえば支持凹部６８の一部に、蓋部５６が閉状態となったときにホルダ部１８０を収納させる収納溝１８６が形成されている。
【０１３４】
＜電子機器１７０の内部構成例について＞
【０１３５】
図３２、図３３は、電子機器の内部構成例を示している。
【０１３６】
図３２に示す電子機器１７０は、たとえば蓋部５６が開口部６０に対して閉状態となっている。このとき、蓋部５６は、たとえば開口部６０内に収納されており、たとえば溝部５８、１７２に対して図示しない爪部などを係止させて固定支持させてもよい。また蓋部５６の内側に形成されたガイド部１８０は、たとえば収納溝１８６を貫通し、背面筐体５４と前面筐体５２とを対向させた空間部１８８内に配置される。
【０１３７】
また支持部１７８は、前面筐体５２の収納孔１８４内に収納されている。図示しない支持部１７６も同様に、収納孔１８２内に収納される。支持部１７６、１７８の長さは、たとえば設置される電池１０の直径、背面筐体５２の厚さなどに応じて設定されればよい。または、電子機器１７０の厚さは、設定された支持部１７６、１７８の長さに応じて設定されてもよい。
【０１３８】
蓋部５６がスライド操作されて引き出されると電子機器１７０には、図３３に示すようにたとえば開口部１７４側から電池１０が挿入され、背面筐体５４の開口部６０内に設置される。電池１０は、たとえば蓋部５６のガイド部１８０に接触して支持されるとともに、対向側を開口部６０の支持凹部６８やガイド部品８０の筐体部１４６の一部に接触して支持される。この開口部６０では、既述のように、支持部１７６、１７８に設置された端子７４、７６が電池１０側面側に配置され、電池の端子に接触する。
【０１３９】
蓋部５６は、たとえば支持部１７６、１７８が前面筐体５２の収納孔１８２、１８４内の設定された位置でスライドが停止されることで、電池１０の周囲に対する支持機能を発揮できる。支持部１７６、１７８のスライド量は、たとえば設置される電池の直径によって設定されればよい。
【０１４０】
以上説明した各実施形態について、その特徴事項を以下に列挙する。
【０１４１】
(1)  本開示の構成によれば、電子機器は、筐体内に乾電池を収納させるスペースを確保する必要がないので、筐体の薄型化や小型化を阻害することがない。
【０１４２】
(2)  電子機器では、充電電池の設置部分以外に給電手段を設置するので、乾電池による充電、または給電時に充電電池を取り外す必要がない。そのため、この給電手段は、充電処理を行うときに電池の取り外し作業が不要である。また、電子機器に設置した充電電池への充電も行うことができる。
【０１４３】
(3)  本開示の電子機器は、たとえば背面筐体に設置した開閉可能な蓋部で構成した乾電池ソケットを筐体外装側に備えた構造である。そのため、給電処理には、市販の乾電池を利用できる。また、給電処理において、電子機器のカバーの取り外しなどの操作が不要であり、電池の設置の操作性が高められている。
【０１４４】
(4)  電子機器は、市販の乾電池を利用して充電、または給電できるので、たとえばＡＣアダプタやサブバッテリーの携帯が不要である。また、電子機器は、乾電池を利用して給電させる構造にすることで、市販の乾電池を利用し、または携帯する他の電子機器に設置された乾電池を流用できるなど、電池の入手が容易であり、給電時の利便性が高い。
【０１４５】
(5)  電子機器は、背面筐体の一部または全部に乾電池を設置する電池ソケット構造の給電手段を備え、乾電池から直接給電できる。この給電手段である乾電池ソケットは、非給電時は、端末内部に収納でき、給電時は乾電池ソケットを露出させて乾電池が設置される。給電手段は、背面筐体や蓋部との間で乾電池を保持する電池ホルダとして利用する構造である。
【０１４６】
(6)  また給電手段には、たとえば様々な仕様の乾電池に対応するためのガイド部品として、アタッチメントが設置される。
【０１４７】
(7)  この給電手段は、設置される電池を保持する手段や、給電するための電池ソケット構造を電子機器の平面部分の周縁側に形成することで、電子機器内部の設置スペースなどに関し、基板などに対する影響を抑えることができる。また、背面筐体の一部に形成した蓋部を電池ホルダとして機能させることで、電子機器の薄型化に貢献できる。
【０１４８】
(8)  この電子機器では、給電手段が筐体内部に設置された充電電池の配置位置に関係なく設置される。よって、給電手段は、たとえば利用者が電子機器を携帯するのに邪魔にならない場所に設置してもよい。また給電手段は、１つに限らず、たとえば複数設置してもよい。
【０１４９】
〔その他の実施の形態〕
【０１５０】
(1)  上記実施の形態では、電子機器２の背面側において、蓋部６を背面筐体４の一部に構成したがこれに限られない。たとえば蓋部６は、背面筐体４の全面を開閉させて、電池１０を設置させる構成にしてもよい。
【０１５１】
(2)  上記実施の形態において、蓋部６、５６に電池１０を支持させる給電手段１２、６６は、たとえば電子機器２、５０、１７０の先端部分や上部側の一部に形成したがこれに限られない。たとえば蓋部６、５６を電子機器２、５０、１７０の下部側に形成してもよい。つまり、この蓋部６、５６に設置した給電手段１２、６６は、たとえば充電電池３４の設置位置など、電子機器２、５０、１７０の内部構成に関わらず設置することができる。
【０１５２】
(3)  上記実施の形態では、蓋部６、５６は、たとえば設置される電池１０、１０Ａ、１０Ｂに接触する位置で開状態に維持させる構成を示したが、これに限られない。図３４に示す支持軸１９０は、たとえば開閉手段８ａ、８ｂに対して開方向または閉方向に付勢する付勢手段としてコイルバネ１９２を備えている。また開閉手段８ａ、８ｂの側面側には、たとえばコイルバネ１９２の一端を係止させる係止溝１９４が形成されている。そして、支持軸１９０を開閉手段８ａ、８ｂの貫通孔１９６に貫通させて背面筐体４のスライド孔２２内に設置するとともに、コイルバネ１９２の一端を係止溝１９４に設置する。開閉手段８ａ、８ｂは、たとえば蓋部６を背面筐体４側に対して閉状態に維持させるように付勢する。
【０１５３】
これにより、たとえば蓋部６、５６は、たとえば電子機器２の傾きや外力などにより、給電処理以外に開状態となるのを防止できる。さらに、電子機器２内部に水分や異物などが混入するのを防止できる。また、この付勢手段を備えた開閉手段８ａ、８ｂにより、蓋部６、５６は、支持凹部２０上に載置された電池１０、１０Ａ、１０Ｂを常に背面筐体４側に押し付けることで、電池１０の保持性を高めることができる。
【０１５４】
次に、以上述べた実施例を含む実施の形態に関し、更に以下の付記を開示する。以下の付記に本発明が限定されるものではない。
【０１５５】
（付記１）筐体と、
前記筐体の背面側の一部または全部に開閉可能に設置された蓋部と、
前記蓋部を開閉させる開閉手段と、
前記開閉手段に設置され、前記蓋部が開状態のときに前記筐体の背面側に電池を設置可能に露出して、設置された前記電池によって給電する給電手段と、
を備えることを特徴とする、電子機器。
【０１５６】
（付記２）前記筐体は、前記蓋部が閉状態となるときに前記開閉手段を内部に収納させる開口部が形成され、
前記給電手段は、前記蓋部が閉状態となったときに、一部または全部が前記開閉手段とともに前記筐体内に収納される、
ことを特徴とする、付記１に記載の電子機器。
【０１５７】
（付記３）前記筐体は、前記給電手段に設置される前記電池の側面側の一部を接触させて支持する凹部が形成され、前記蓋部との間で前記電池を挟持する、
ことを特徴とする、付記１または付記２に記載の電子機器。
【０１５８】
（付記４）前記開閉手段は、前記蓋部の両端側に平行に配置され、スライド動作によって前記蓋部を開状態または閉状態に支持させる支持部材を備え、
前記給電手段は、前記支持部材の内側に、対向して配置させた複数の端子部を備える、
ことを特徴とする、付記１ないし付記３のいずれかに記載の電子機器。
【０１５９】
（付記５）前記筐体は、内部に充電電池を備え、
該充電電池は、前記給電手段に設置された前記電池から給電された電力により充電されることを特徴とする、付記１ないし付記４のいずれかに記載の電子機器。
【０１６０】
（付記６）前記開閉手段は、前記凹部に配置される前記電池の大きさまたは種類に応じて、前記蓋部の開口状態を異ならせることを特徴とする、付記１ないし付記５のいずれかに記載の電子機器。
【０１６１】
（付記７）更に、前記筐体には、前記給電手段に設置される前記電池の種類に応じて、前記電池の電極と前記給電手段とを接触可能にガイドするガイド手段を備え、
前記給電手段は、該ガイド手段を介して前記電池と導通状態にさせる、
ことを特徴とする、付記１ないし付記６のいずれかに記載の電子機器。
【０１６２】
（付記８）前記ガイド手段は、一端を前記給電手段の一端に接触させるとともに、他端を前記電池の電極に接触させるガイド端子部を備える、
ことを特徴とする、付記７に記載の電子機器。
【０１６３】
（付記９）前記ガイド手段は、前記筐体に回動軸によって回動可能に設置され、開状態となった前記蓋部側に向けて開閉し、前記筐体外部に露出した前記給電手段に対して配置される、
ことを特徴とする、付記７または付記８に記載の電子機器。
【０１６４】
（付記１０）前記ガイド手段は、前記蓋部が閉状態のときに前記筐体側に配置され、
前記ガイド端子部は、前記筐体に開口された開口部を通じて、前記筐体内部に収納される、
ことを特徴とする、付記７ないし付記９のいずれかに記載の電子機器。
【０１６５】
（付記１１）前記ガイド手段は、前記給電手段に設置された前記電池の側面部を支持するリブを備えることを特徴とする、付記７ないし付記１０のいずれかに記載の電子機器。
【０１６６】
以上説明したように、本開示のより好ましい実施形態等について説明したが、本発明は、上記記載に限定されるものではなく、特許請求の範囲に記載され、または明細書に開示された発明の要旨に基づき、当業者において様々な変形や変更が可能であることは勿論であり、斯かる変形や変更が、本発明の範囲に含まれることは言うまでもない。
【符号の説明】
【０１６７】
２、５０、１７０  電子機器
４、５４  背面筐体
５、５２  前面筐体
６、５６  蓋部
８ａ、８ｂ  開閉手段
１０、１０Ａ、１０Ｂ  電池
１２、６６  給電手段
１４、１４ａ、１４ｂ  開閉軸
１６  収納部
１７ａ、１７ｂ  回動軸
１８ａ、１８ｂ、３６、７４、７６、８８、１４８、１５０  端子
２０、６８  支持凹部
２２、２６  スライド孔
２４、９８、９９、１９０  支持軸
３２  基板
３４  充電電池
３８  給電端子
４０、１０４、１０６、１９６  貫通孔
４２、４４、１９４  係止溝
５８、１７２  溝部
６０、１０７、１２２、１２８、１７４  開口部
６２、６４、１７６、１７８  支持部
７０  支持面部
７２、８２  支持凸部
８０  ガイド部品
８４  収納孔
８６  ガイド端子
９０  基板設置部
９２、９４、１８２、１８４  収納孔
９６  挿通孔
９７、１８６  収納溝
１００、１２０  平面部
１０２  締結部
１０８  爪部
１１０  係止孔
１１２、１１４、１１６、１１８、１２４、１２６  回動支持部
１１９  支持壁部
１３０、１３２  支持孔
１４０  板状部材
１４２、１４４  支持部材
１４６  筐体部
１４８、１５０  端子部
１６０  フレキシブル基板
１８０  ホルダ部
１９２  コイルバネ
【図１】
2014072067.tif 000003
【図２】
2014072067.tif 000004
【図３】
2014072067.tif 000005
【図４】
2014072067.tif 000006
【図５】
2014072067.tif 000007
【図６】
2014072067.tif 000008
【図７】
2014072067.tif 000009
【図８】
2014072067.tif 000010
【図９】
2014072067.tif 000011
【図１０】
2014072067.tif 000012
【図１１】
2014072067.tif 000013
【図１２】
2014072067.tif 000014
【図１３】
2014072067.tif 000015
【図１４】
2014072067.tif 000016
【図１５】
2014072067.tif 000017
【図１６】
2014072067.tif 000018
【図１７】
2014072067.tif 000019
【図１８】
2014072067.tif 000020
【図１９】
2014072067.tif 000021
【図２０】
2014072067.tif 000022
【図２１】
2014072067.tif 000023
【図２２】
2014072067.tif 000024
【図２３】
2014072067.tif 000025
【図２４】
2014072067.tif 000026
【図２５】
2014072067.tif 000027
【図２６】
2014072067.tif 000028
【図２７】
2014072067.tif 000029
【図２８】
2014072067.tif 000030
【図２９】
2014072067.tif 000031
【図３０】
2014072067.tif 000032
【図３１】
2014072067.tif 000033
【図３２】
2014072067.tif 000034
【図３３】
2014072067.tif 000035
【図３４】
2014072067.tif 000036